(57)【要約】  本発明は、仮想ゴルフシミュレーションを通じた仮想ゴルフ過程で、過去に仮想ゴルフシミュレーション装置を通じてプレーしたユーザのユーザヒストリー情報に基づいた多様なコンテンツを提供し、ユーザ自身または他のユーザ、さらに有名人のプレー情報に基づいた仮想ユーザと仮想のゴルフ競技を進行できるようにすることで、ユーザの便宜を図るのはもちろん、仮想ゴルフに対するユーザの興味を誘発させることができる仮想ゴルフシミュレーション装置及び方法を提供するためのものである。そのための本発明の一実施例に係る仮想ゴルフシミュレーション装置は、ユーザヒストリー情報を用いた仮想ゴルフシミュレーション装置において、仮想のゴルフコースに対するゴルフシミュレーション映像を表示する映像出力部と、前記仮想ゴルフシミュレーション装置を通じてプレーしたユーザのユーザヒストリー情報を格納する格納部と、前記ユーザヒストリー情報から特定のプレー情報によるゴルフボールの軌跡、ゴルフボールの落下地点及び飛距離のうち少なくとも一つが前記映像出力部を通じて表示されるようにする制御部と、を含む。【選択図】図２
2013516212.tif 000002
【特許請求の範囲】
【請求項１】
ユーザヒストリー情報を用いた仮想ゴルフシミュレーション装置において、
仮想のゴルフコースに対するゴルフシミュレーション映像を表示する映像出力部と、
前記仮想ゴルフシミュレーション装置を通じてプレーしたユーザのユーザヒストリー情報を格納する格納部と、
前記ユーザヒストリー情報から特定のプレー情報によるゴルフボールの軌跡、ゴルフボールの落下地点及び飛距離のうち少なくとも一つが前記映像出力部を通じて表示されるようにする制御部と、を含む、仮想ゴルフシミュレーション装置。
【請求項２】
前記ゴルフボールの軌跡は、
ユーザが過去に特定ゴルフコースでプレーしたショット情報によるゴルフボールの軌跡であることを特徴とする、請求項１に記載の仮想ゴルフシミュレーション装置。
【請求項３】
前記ゴルフボールの軌跡は、
ユーザが現在プレーしようとするゴルフコースで他のユーザが過去にプレーしたショット情報によるゴルフボールの軌跡であることを特徴とする、請求項１に記載の仮想ゴルフシミュレーション装置。
【請求項４】
前記映像出力部は、前記ゴルフシミュレーション映像の特定領域に前記仮想のゴルフコースが縮小されて表示されるミニマップ映像を表示するように構成され、
前記制御部は、前記ゴルフボールの軌跡を前記ゴルフシミュレーション映像及び前記ミニマップ映像のうち少なくとも一つに表示するように構成されることを特徴とする、請求項１に記載の仮想ゴルフシミュレーション装置。
【請求項５】
前記映像出力部は、前記ゴルフシミュレーション映像の特定領域に前記仮想のゴルフコースが縮小されて表示されるミニマップ映像を表示するように構成され、
前記制御部は、前記ゴルフボールの軌跡を前記ゴルフシミュレーション映像に表示し、前記ゴルフボールの落下地点を前記ミニマップ上に表示するように構成されることを特徴とする、請求項１に記載の仮想ゴルフシミュレーション装置。
【請求項６】
前記ゴルフボールの軌跡は、
ユーザが特定ゴルフコースでショットした回数によって累積されて表示されることを特徴とする、請求項１に記載の仮想ゴルフシミュレーション装置。
【請求項７】
ユーザが特定情報に関する操作を行うことができるように備えられる操作部をさらに含み、前記制御部は、
前記ユーザのログインがある場合又は前記操作部を通じたユーザの操作がある場合、外部システムから前記ユーザヒストリー情報を受信して前記格納部に格納するように構成されることを特徴とする、請求項１に記載の仮想ゴルフシミュレーション装置。
【請求項８】
ユーザプレー情報を用いて仮想ユーザとのプレーを提供する仮想ゴルフシミュレーション装置において、
仮想のゴルフコースに対するゴルフシミュレーション映像を表示する映像出力部と、
前記仮想ユーザのプレー情報を格納する格納部と、
ユーザと前記仮想ユーザのプレー情報に基づいて、前記仮想ゴルフシミュレーション装置を通じたプレーを制御する制御部と、を含む、仮想ゴルフシミュレーション装置。
【請求項９】
前記仮想ユーザは、
前記ユーザが前記仮想ゴルフシミュレーション装置を通じてプレーしたプレー情報に基づいて生成された第１仮想ユーザ情報であることを特徴とする、請求項８に記載の仮想ゴルフシミュレーション装置。
【請求項１０】
前記仮想ユーザは、
他のユーザが前記仮想ゴルフシミュレーション装置を通じて又は該当のゴルフコースでプレーしたプレー情報に基づいて生成された第２仮想ユーザ情報であることを特徴とする、請求項８に記載の仮想ゴルフシミュレーション装置。
【請求項１１】
前記第２仮想ユーザ情報は、
前記プレー情報に前記他のユーザの映像情報及び／又は音声情報を付加して生成されたことを特徴とする、請求項１０に記載の仮想ゴルフシミュレーション装置。
【請求項１２】
前記制御部は、
前記ユーザの前記仮想ゴルフシミュレーション装置を通じた実際のプレー映像及び音声情報と、前記格納された仮想ユーザのプレー情報に基づいたプレー映像情報及び音声情報とを出力することを特徴とする、請求項８に記載の仮想ゴルフシミュレーション装置。
【請求項１３】
ユーザヒストリー情報を用いた仮想ゴルフシミュレーション方法において、
仮想ゴルフプレー映像及び関連情報を表示する段階と、
前記仮想ゴルフシミュレーション装置を通じてプレーしたユーザのユーザヒストリー情報が格納された格納部から、ユーザの特定のプレー情報を抽出する段階と、
前記抽出された特定のプレー情報によるゴルフボールの軌跡、ゴルフボールの落下地点及び飛距離のうち少なくとも一つを表示する段階と、を含む、仮想ゴルフシミュレーション方法。
【請求項１４】
前記ユーザがログインを通じて外部システムに接続する段階と、
前記外部システムに格納されたユーザヒストリー情報を受信する段階と、
前記受信されたユーザヒストリー情報を格納する段階とをさらに含むことを特徴とする、請求項１３に記載の仮想ゴルフシミュレーション方法。
【請求項１５】
前記表示する段階でゴルフボールの軌跡を表示する場合、
ユーザが現在プレーしようとするゴルフコースのショット順序に対応して、ユーザヒストリー情報のうち該当のゴルフコースの該当のショット順序でのショット情報によるゴルフボールの軌跡が表示されることを特徴とする、請求項１３に記載の仮想ゴルフシミュレーション方法。
【請求項１６】
ユーザプレー情報を用いて仮想ゴルフシミュレーション装置を通じた仮想ユーザとのプレーを提供する仮想ゴルフシミュレーション方法において、
ユーザの選択によって前記仮想ユーザのプレー情報をローディングする段階と、
仮想ゴルフプレー映像及び関連情報を表示する段階と、
前記ユーザと前記ローディングされたプレー情報による仮想ユーザとが仮想ゴルフをプレーするように、前記仮想ゴルフシミュレーション装置を制御する段階と、を含む、仮想ゴルフシミュレーション方法。
【請求項１７】
前記ユーザがログインを通じて外部システムに接続する段階と、
前記外部システムに格納された前記仮想ユーザのプレー情報を受信する段階と、
前記受信された仮想ユーザのプレー情報を格納する段階とをさらに含むことを特徴とする、請求項１６に記載の仮想ゴルフシミュレーション方法。
【請求項１８】
前記外部システムは、
前記仮想ゴルフシミュレーション装置を通じてプレーしたユーザのプレー情報が所定の条件を満足する場合、前記プレー情報に基づいて仮想ユーザを生成することを特徴とする、請求項１７に記載の仮想ゴルフシミュレーション方法。
【発明の詳細な説明】
【技術分野】
【０００１】
本発明は、仮想ゴルフシミュレーション装置に係り、より詳細には、仮想のゴルフコースが映像化されてシミュレーションされ、ユーザ、すなわちゴルファーが打撃したゴルフボールの軌跡が前記仮想のゴルフコースでシミュレーションされる仮想ゴルフシミュレーション装置に関する。
【背景技術】
【０００２】
近年、ゴルフの人口が増加するにつれて、仮想ゴルフシミュレーション装置などを用いたゴルフ練習及び仮想のゴルフ競技を楽しめる、いわゆるスクリーンゴルフシステムが登場した。
【０００３】
このようなスクリーンゴルフシステムは、室内に仮想のゴルフ場をディスプレイできるスクリーンを設置し、ゴルファーがゴルフボールを前記スクリーンに向かって打撃すれば、ゴルフボールの速度、方向などを感知して、前記スクリーン上にゴルフボールの進行を表示するシステムである。
【０００４】
このように仮想ゴルフシミュレーション装置により具現されるスクリーンゴルフシステムなどでは、ゴルフ練習場でゴルフボールを打撃するのと同様にゴルフボールを打撃しながら、実際にゴルフ場でラウンドしているかのような臨場感を与えることができる特徴がある。
【０００５】
仮想ゴルフシミュレーション装置は、実際のゴルフ場でゴルフラウンドしているかのようなリアリティーを提供できるだけでなく、様々な先端装置及びシステムを通じてサービスされる特性上、実際のゴルフ場やゴルフ練習場では提供しにくい多様なコンテンツを提供することによって、ゴルファーたちの興味を誘発させる必要がある。
【発明の概要】
【発明が解決しようとする課題】
【０００６】
本発明の目的は、仮想ゴルフシミュレーションを通じた仮想ゴルフ過程で、過去に仮想ゴルフシミュレーション装置を通じてプレーしたユーザのユーザヒストリー情報に基づいた多様なコンテンツを提供し、ユーザ自身または他のユーザ、さらに有名人のプレー情報に基づいた仮想ユーザと仮想のゴルフ競技を進行できるようにすることで、ユーザの便宜を図るのはもちろん、仮想ゴルフに対するユーザの興味を誘発させることができる仮想ゴルフシミュレーション装置及び方法を提供することにある。
【課題を解決するための手段】
【０００７】
本発明の一実施例に係る仮想ゴルフシミュレーション装置は、ユーザヒストリー情報を用いた仮想ゴルフシミュレーション装置において、仮想のゴルフコースに対するゴルフシミュレーション映像を表示する映像出力部と、前記仮想ゴルフシミュレーション装置を通じてプレーしたユーザのユーザヒストリー情報を格納する格納部と、前記ユーザヒストリー情報から特定のプレー情報によるゴルフボールの軌跡、ゴルフボールの落下地点及び飛距離のうち少なくとも一つが前記映像出力部を通じて表示されるようにする制御部と、を含む。
【０００８】
一方、本発明の他の一実施例に係る仮想ゴルフシミュレーション装置は、ユーザプレー情報を用いて仮想ユーザとのプレーを提供する仮想ゴルフシミュレーション装置において、仮想のゴルフコースに対するゴルフシミュレーション映像を表示する映像出力部と、前記仮想ユーザのプレー情報を格納する格納部と、ユーザと前記仮想ユーザのプレー情報に基づいて、前記仮想ゴルフシミュレーション装置を通じたプレーを制御する制御部と、を含む。
【０００９】
一方、本発明の一実施例に係る仮想ゴルフシミュレーション方法は、ユーザヒストリー情報を用いた仮想ゴルフシミュレーション方法において、仮想ゴルフプレー映像及び関連情報を表示する段階と、前記仮想ゴルフシミュレーション装置を通じてプレーしたユーザのユーザヒストリー情報が格納された格納部から、ユーザの特定のプレー情報を抽出する段階と、前記抽出された特定のプレー情報によるゴルフボールの軌跡、ゴルフボールの落下地点及び飛距離のうち少なくとも一つを表示する段階と、を含む。
【００１０】
一方、本発明の他の一実施例に係る仮想ゴルフシミュレーション方法は、ユーザプレー情報を用いて仮想ゴルフシミュレーション装置を通じた仮想ユーザとのプレーを提供する仮想ゴルフシミュレーション方法において、ユーザの選択によって前記仮想ユーザのプレー情報をローディングする段階と、仮想ゴルフプレー映像及び関連情報を表示する段階と、前記ユーザと前記ローディングされたプレー情報による仮想ユーザとが仮想ゴルフをプレーするように、前記仮想ゴルフシミュレーション装置を制御する段階と、を含む。
【発明の効果】
【００１１】
本発明による仮想ゴルフシミュレーション装置及び方法は、仮想ゴルフシミュレーションを通じた仮想ゴルフ過程で、過去に仮想ゴルフシミュレーション装置を通じてプレーしたユーザのユーザヒストリー情報に基づいた多様なコンテンツを提供し、ユーザ自身または他のユーザ、さらに有名人のプレー情報に基づいた仮想ユーザと仮想のゴルフ競技を進行できるようにすることで、ユーザの便宜を図るのはもちろん、仮想ゴルフに対するユーザの興味を誘発させることができるという効果を奏する。
【図面の簡単な説明】
【００１２】
【図１】本発明の一実施例に係る仮想ゴルフシミュレーション装置が適用されたスクリーンゴルフシステムを示す図である。
【図２】本発明の一実施例に係る仮想ゴルフシミュレーション装置の概略的なブロック図である。
【図３】図１に示す仮想ゴルフシミュレーション装置において操作手段の他の一例が適用されたスクリーンゴルフシステムを示す図である。
【図４】本発明の一実施例に係る仮想ゴルフシミュレーション装置と接続された外部システムを説明するための図である。
【図５】本発明の一実施例に係る特定ホールでの全体ショット情報を表示した画面を説明するための図である。
【図６】本発明の一実施例に係る特定ショットでのショット情報を表示した画面を説明するための図である。
【図７】本発明の他の一実施例に係る仮想ゴルフシミュレーション装置と接続された外部システムを説明するための図である。
【図８】本発明の他の一実施例に係る仮想ゴルフシミュレーション装置において仮想ユーザを生成する方法を説明するためのフローチャートである。
【図９】本発明の他の一実施例に係る仮想ゴルフシミュレーション方法を説明するためのフローチャートである。
【図１０】本発明の他の一実施例に係る仮想ゴルフシミュレーション装置においてユーザと仮想ユーザ間のプレイ画面を示す図である。
【図１１】本発明の更に他の一実施例に係る仮想ゴルフシミュレーション装置においてユーザと仮想ユーザ間のプレイ画面を示す図である。
【発明を実施するための形態】
【００１３】
本発明に係る仮想ゴルフシミュレーション装置及び方法に関する実施例を、添付の図面を参照して詳細に説明する。
【００１４】
本発明の一実施例に係る仮想ゴルフシミュレーション装置を、図面を参照して詳細に説明する。
【００１５】
本発明の一実施例に係る仮想ゴルフシミュレーション装置は様々な形態で具現でき、代表的に、いわゆるスクリーンゴルフシステムに適用することができる。
【００１６】
図１及び図３では、本発明の一実施例に係る仮想ゴルフシミュレーション装置がスクリーンゴルフシステムに適用された例を示しているが、本発明はこれに限定されず、仮想のゴルフコースをシミュレーションして映像化し、これに仮想のゴルフボールの映像がシミュレーションされるあらゆる形態のシステムないしは装置に適用可能である。
【００１７】
図１及び図２に示すように、本発明の一実施例に係る仮想ゴルフシミュレーション装置は、打席２０と、センシング装置Ｓとが備えられ、前面に備えられるスクリーンＣに所定の映像を出力する映像出力装置Ｐと、そして仮想ゴルフシミュレーションに必要な全てのデータの格納及び処理などが行われるシミュレータと、を含んでなる。ここで、シミュレータは、図１において保護箱体１０内に備えられる。
【００１８】
前記シミュレータは、映像処理部Ｄ、格納部Ｔ及び制御部Ｍを含んで構成されることができる。
【００１９】
前記格納部Ｔは、仮想のゴルフコースに関するデータを含む仮想ゴルフシミュレーションに必要な全てのデータを格納し、前記映像処理部Ｄは、前記格納部Ｔに格納されたデータとして、仮想のゴルフコースに関する映像、ゴルフボールの移動映像及びメニュー選択のための映像など、仮想ゴルフシミュレーションに関連した全ての映像を処理するように備えられる。本発明の一実施例において、格納部Ｔは、仮想ゴルフシミュレーション装置を通じてプレーしたユーザのユーザヒストリー情報を格納する。ここで、ユーザヒストリー情報は、特定ゴルフコースでプレーしたユーザのショット情報を含み、ショット情報は、ショットの方向、ショットの距離、ショットの結果を含む。例えば、ショット情報は、特定コースの１番ホールにおいて、１番目のティーショットはフェアウェイの左側方向に２１０ｍ地点に、２番目のショットはグリーンの右側のバンカーに、３番目のショットはグリーンの左側の１５ｍ地点にオングリーン、４番目のショットはホールカップの右側に０．８５ｍ地点に、コンシードでパー４ホールでボギーでプレーが終了したという情報であってもよい。１ホールから１８ホールまでのショット情報を格納する。また、ユーザヒストリー情報は、特定コースでプレーした過程の全ての情報を累積して格納する。
【００２０】
前記制御部Ｍは、仮想ゴルフシミュレーションのための各種演算と各構成要素の制御などを総括するように備えられる。制御部Ｍは、仮想ゴルフシミュレーション装置で表示されている映像をスクリーンＣに表示しながら、ユーザの選択がある場合、格納部Ｔに格納されたユーザヒストリー情報を表示する。ここで、ユーザヒストリー情報は、スクリーンＣまたは補助画面であるモニタ４０に選択的に又は同時に表示されることができる。すなわち、ユーザが毎ショットを打つ前に、自身が以前にプレーしたショット情報を知りたい場合に、操作手段Ｏを通じて、自身のヒストリー情報を現在表示されている映像に表示し、自身のコース攻略を点検することができる。
【００２１】
ゴルファーが打席２０でゴルフボールをスクリーンＣに向かって打撃すれば、センシング装置Ｓがこれをセンシングして制御部Ｍに伝達し、制御部Ｍは、これを映像処理部Ｄに伝達し、前記映像処理部Ｄは、ゴルフボールの移動特性を考慮して、ゴルフボールの移動映像などのゴルフシミュレーション映像情報を格納部Ｔから抽出して構成し、これを映像出力装置Ｐを通じてスクリーンＣに投影させることによって、仮想シミュレーションを通じたゴルフ競技が進行する。
【００２２】
図１では明確に示していないが、センシング装置（Ｓ、図２を参照）は、打席２０側に設けられる赤外線受発光センサーにより具現されてもよく、天井や壁などに設けられるカメラセンサーにより具現されてもよく、その他のいかなる形態のセンサーであっても構わない。
【００２３】
一方、本実施例に係る仮想ゴルフシミュレーション装置は、システムの設定や仮想ゴルフ競技の進行のための各種設定などのための操作が可能なようにする操作手段Ｏを備える。
【００２４】
図１では、上述した操作手段Ｏの一例として、シミュレータを収納した保護箱体１０に備えられるキーボード１１を示している。そして、側壁Ｗに設けられるタッチスクリーン３０も操作手段の一例として提供することができる。また、図示していないが、マウス装置を前記キーボードと共に提供することが好ましい。本発明の一実施例で、ユーザは、操作手段Ｏを通じて外部システムに接続したり、ユーザヒストリー情報を表示することができる。
【００２５】
一方、図示していないが、上述した操作手段としてリモート装置（図示せず）を提供し、該リモート装置がシミュレータと直接的に通信したり、タッチスクリーンと直接的に通信したりしながら、仮想ゴルフシミュレーションの操作が行われるように構成することも可能である。
【００２６】
一方、図３では、操作手段の更に他の一例として、打席２０上に備えられるキー操作部２２を示している。
【００２７】
すなわち、図１に示すキーボード１１やタッチスクリーン３０は、打席２０に立っているゴルファーにとって操作しにくい点があるため、打席２０でスイングの準備をしているゴルファーが容易に仮想ゴルフシミュレーションの設定を操作できるように、打席２０上にキー操作部２２を備えることが好ましい。
【００２８】
図４は、本発明の一実施例に係る仮想ゴルフシミュレーション装置と接続された外部システムを説明するための図である。
【００２９】
図４を参照すると、外部システム２００は、仮想ゴルフシミュレーション装置１００と通信ネットワーク、例えば、インターネット網を通じて連結されており、情報端末機１１０とも接続可能である。仮想ゴルフシミュレーション装置１００は、特定ユーザがプレーを終えた場合、プレー情報、すなわち、前述した特定コースでの毎ホールごとのユーザのショット情報を外部システム２００に伝送する。外部システム２００は、ユーザ別、特定コース別にユーザヒストリー情報をユーザデータベース２３０に格納する。このようなユーザヒストリー情報は、ユーザがプレーした回数によって累積してデータベース化する。ユーザ接続部２２０は、仮想ゴルフシミュレーション装置１００及び前記ユーザの情報端末機１１０と接続を行う。ユーザ接続部２２０は、中央処理装置２１０の制御によりユーザヒストリー情報を仮想ゴルフシミュレーション装置１００に伝送する。
【００３０】
外部システム２００は、仮想ゴルフシミュレーション装置１００から特定ユーザのログイン情報を受信した場合、該当のユーザのユーザヒストリー情報をユーザデータベース２３０から抽出して仮想ゴルフシミュレーション装置１００に伝送する。また、仮想ゴルフシミュレーション装置１００で選択された特定ゴルフコースを選択した場合、該当のゴルフコースでのユーザヒストリー情報をユーザデータベース２３０から抽出して仮想ゴルフシミュレーション装置１００に伝送することもできる。
【００３１】
仮想ゴルフシミュレーション装置１００は、外部システム２００から受信されたユーザヒストリー情報を格納部Ｔに格納する。そして、ユーザの要請または選択がある該当のホールを始める前に、全体ホールを攻略したショット情報を全て表示したり、または特定ホールの特定ショット順序でのユーザヒストリー情報を現在表示されているプレー映像と共に表示する。このようなユーザヒストリー情報は、メインスクリーンに表示されてもよく、補助モニタに表示されてもよい。
【００３２】
また、前記ユーザヒストリー情報は、メインスクリーン上のプレー映像に表示されてもよく、メインスクリーン上の特定領域に、仮想のゴルフコースを縮小して表示するミニマップ映像を通じて表示されるようにしてもよい。
【００３３】
図５は、本発明の一実施例に係る特定ホールでの全体ショット情報を表示した画面を説明するための図である。
【００３４】
図５を参照すると、特定ゴルフコースの特定ホール、例えば、ユーザがパー４の３番ホールでプレーをしようという場合、以前に自身がこのホールをどのようにプレーしたかを知りたい時、特定キーのボタンを押して、過去に自身が攻略したショット情報を一つの画面に表示して見ることができる。このコースの攻略において、自身が打ったセカンドショットがグリーンの周辺のバンカーにはまって、ボギーを記録したことが分かる。そのため、このホールでは、グリーンの周辺のバンカーに気を付けなければならないということを予め知ってホールをプレーすることができる。
【００３５】
このような、ユーザの過去のプレー情報による全体ショット情報の表示は、ゴルフシミュレーション映像に表示されてもよく、前記ゴルフシミュレーション映像の特定領域に表示されたミニマップ映像に表示されてもよい。
【００３６】
図６は、本発明の一実施例に係る特定ショットでのショット情報を表示した画面を説明するための図である。
【００３７】
図６を参照すると、特定ホールにおいて、特定ショット、例えば、１番目のティーショットをする前に、このホールにおいて、以前に自身が打ったティーショットがどの方向に飛んで行ったのかが分かる。同図に示すように、以前の３回のプレーにおいて、自身のティーショットが左側に多く曲がるフックの球質でプレーしたことが分かる。したがって、ユーザは、このような情報を確認し、フェアウェイの右側にもっとエイミングしてティーショットをすることがミスショットを減らすことであることが分かる。このようなユーザヒストリー情報は、ショットをする前に、特定キーのボタンまたは操作スイッチを押すことによって、メインスクリーン画面に表示されてもよく、または補助モニタに表示されてもよい。したがって、ユーザは、現在のホールでの一般的な攻略法、例えば、フェアウェイの中央を見てティーショットをするのではなく、自身の以前のショットの方向を参考にしてフェアウェイの右側を見てティーショットをすることが、自身のショットまたはスイング特性に合う攻略であり、ミスショットを減らすことができる。
【００３８】
また、図６に示すユーザヒストリー情報は、方向だけを示しているが、飛距離またはティーショットの結果、例えば、ＯＢ（Ｏｕｔ  ｏｆ  Ｂｏｕｎｄ）地域に入ったか、ラフなのかフェアウェイなのかを共に表示することもでき、これらの情報も、ユーザが現在プレーするのに重要な参考資料の役割をすることができる。
【００３９】
一方、図７は、本発明の他の一実施例に係る仮想ゴルフシミュレーション装置と接続された外部システムを説明するための図である。
【００４０】
図７を参照すると、外部システム２００は、仮想ゴルフシミュレーション装置１００と通信ネットワーク、例えば、インターネット網を介して連結されており、情報端末機１１０とも接続可能である。
【００４１】
外部システム２００は、中央処理装置２１０、ユーザ接続部２２０、第１仮想ユーザ生成部２３０、第２仮想ユーザ生成部２４０及び仮想ユーザ格納部２５０を含む。外部システム２００は、仮想ゴルフシミュレーション装置１００を通じてプレーしたユーザのプレー情報が所定の条件を満足する場合、プレー情報に基づいて仮想ユーザを生成する。
【００４２】
また、外部システム２００は、他のユーザのプレー情報に基づいて仮想ユーザを生成する。ここで、ユーザ自身の以前のプレー情報に基づいて生成された仮想ユーザは、第１仮想ユーザ情報と、他のユーザのプレー情報に基づいて生成された仮想ユーザは、第２仮想ユーザ情報と定義する。
【００４３】
第１仮想ユーザ情報は、仮想ゴルフシミュレーション装置１００でユーザのプレーが終了した後、プレー情報をユーザ接続部２２０を通じて中央処理装置２１０に伝送する。中央処理装置２１０は、ユーザのプレー情報が所定の条件を満足するかを判断する。ここで、条件は、ユーザがログインしたか否か、進行モードの判断、すなわち進行モードがストロークモードであったか否か、ラウンドの進行中にホールスキップを使用したか否か、すなわち正常に１８ホールを終了したか否かを判断する。このような条件を満足する場合、第１仮想ユーザ生成部２３０は、ユーザのプレー情報に基づいて第１仮想ユーザ情報を生成し、これを仮想ユーザ格納部２５０に格納する。
【００４４】
第２仮想ユーザ情報は、他のユーザ、例えば、実際に存在する特定のプロゴルファーが該当のゴルフコースで実際にプレーしたプレー情報に基づいて生成したり、または広く知られている芸能人や政治家などのような有名人が仮想ゴルフシミュレーション装置１００でプレーした情報を、前述した第１仮想ユーザ生成条件と同一に判断し、これを満足する場合に、第２仮想ユーザ生成部２４０は第２仮想ユーザ情報を生成する。ここで、有名人のプレー情報に有名人の映像情報と音声情報を付加して第２仮想ユーザ情報に含めることができる。そして、生成された第２仮想ユーザ情報を仮想ユーザ格納部２５０に格納する。
【００４５】
外部システム２００は、仮想ゴルフシミュレーション装置１００を通じて接続したユーザが仮想ユーザとのプレーを要請する場合、すなわち、仮想ユーザモードを要請した場合、仮想ユーザ格納部２５０に格納された該当のユーザの第１仮想ユーザ情報または第２仮想ユーザ情報を抽出して、ユーザ接続部２２０を通じて仮想ゴルフシミュレーション装置１００に伝送する。仮想ゴルフシミュレーション装置１００は、受信された第１仮想ユーザ情報または第２仮想ユーザ情報を格納部Ｔに格納し、ユーザと仮想ユーザとのプレーを制御する。
【００４６】
図８は、本発明の他の一実施例に係る仮想ゴルフシミュレーション装置において仮想ユーザを生成する過程を説明するためのフローチャートである。
【００４７】
図８を参照すると、段階５００及び５０２で、仮想ゴルフシミュレータを用いたプレーが終了すれば、プレーの結果を表示する。ここで、ユーザに、仮想ユーザを生成するか否かを問うメニューを提供してもよい。段階５０４乃至５０８で、仮想ユーザの生成が可能であるか否かを示す条件を判断する。すなわち、ホールスキップが何回あったか、ログインをしてプレーしたか、ストロークプレーなのかを判断する。ストロークプレーでない場合には、該当のユーザまたは有名人のプレーを毎ショットごとに生成することが不可能であるためである。前記段階５０４乃至５０８の条件を満足する場合には段階５１０で、仮想ユーザの格納を活性化させ、段階５１２で仮想ユーザを格納する。
【００４８】
図９は、本発明の他の一実施例に係る仮想ゴルフシミュレーション方法を説明するためのフローチャートである。
【００４９】
図９を参照すると、段階６００で、仮想ゴルフシミュレータを用いたプレーを始める。段階６０２で、ユーザが仮想ユーザモードを選択する。段階６０４で、仮想ゴルフシミュレーション装置に格納された該当のユーザの仮想ユーザを抽出する。段階６０６で、ユーザと仮想ユーザ間のプレーを進行する。
【００５０】
図１０は、本発明の他の一実施例に係る仮想ゴルフシミュレーション装置においてユーザと仮想ユーザ間のプレイ画面を示す図である。
【００５１】
図１０を参照すると、ユーザが特定ホールでショットをした後に、仮想ユーザ７００がティーショットをする姿をスクリーンに出力する。ここで、仮想ユーザ７００は、実際にユーザ自身が以前にプレーした映像でもよく、または有名人の映像であってもよい。そして、仮想ユーザのインパクト瞬間に合せて、ゴルフボールの飛行方向が示されている。すなわち、仮想ユーザが、ユーザ本人が以前にプレーしたプレー情報に基づいて生成された場合には、以前の自身のティーショットの方向、距離、落下地点は予め決まっており、ゴルフスイングをする仮想ユーザの姿が、図１０に示すようにスクリーンに表示されることができるが、過去にゴルフスイングをした姿を撮影して表示してもよく、特定キャラクターで映像化して表示してもよい。
【００５２】
仮想ユーザが有名人である場合には、実際の有名人の姿または音声をプレーの中間に表示してもよい。また、仮想ユーザが打撃したゴルフボールの進行方向と、実際のユーザのボールの方向とを区分するために、飛行方向を表す線を互いに区分できるように、例えば、ゴルフボールの飛行線の色または形状を区分して表示してもよい。
【００５３】
図１１は、本発明の更に他の一実施例に係る仮想ゴルフシミュレーション装置においてユーザと仮想ユーザ間のプレイ画面を示す図である。
【００５４】
図１１を参照すると、実線は他のユーザ（有名人）、すなわち仮想ユーザのゴルフボールの飛行線で、点線は実際のユーザが打撃したゴルフボールの飛行線である。
【００５５】
図１０及び図１１を参照して説明した仮想ユーザのプレーの表現は、これに限定されず、様々な方法で具現できるのは勿論である。
【図１】
2013516212.tif 000003
【図２】
2013516212.tif 000004
【図３】
2013516212.tif 000005
【図４】
2013516212.tif 000006
【図５】
2013516212.tif 000007
【図６】
2013516212.tif 000008
【図７】
2013516212.tif 000009
【図８】
2013516212.tif 000010
【図９】
2013516212.tif 000011
【手続補正書】
【提出日】平成24年7月19日(2012.7.19)
【手続補正１】
【補正対象書類名】特許請求の範囲
【補正対象項目名】全文
【補正方法】変更
【補正の内容】
【特許請求の範囲】
【請求項１】
ユーザヒストリー情報を用いた仮想ゴルフシミュレーション装置において、
仮想のゴルフコースにおけるゴルフシミュレーション映像を表示する映像出力部と、
前記仮想ゴルフシミュレーション装置を通じてプレーしたユーザのユーザヒストリー情報を格納する格納部と、
前記ユーザヒストリー情報から特定のプレー情報によるゴルフボールの軌跡、ゴルフボールの落下地点及び飛距離のうち少なくとも一つが前記映像出力部を通じて表示されるようにする制御部と
を含む、仮想ゴルフシミュレーション装置。
【請求項２】
前記ゴルフボールの軌跡は、
ユーザが過去に特定ゴルフコースでプレーしたショット情報によるゴルフボールの軌跡、またはユーザが現在プレーしようとするゴルフコースで他のユーザが過去にプレーしたショット情報によるゴルフボールの軌跡であることを特徴とする、請求項１に記載の仮想ゴルフシミュレーション装置。
【請求項３】
前記映像出力部は、前記ゴルフシミュレーション映像の特定領域に前記仮想のゴルフコースが縮小されて表示されるミニマップ映像を表示するように構成され、
前記制御部は、前記ゴルフボールの軌跡を前記ゴルフシミュレーション映像及び前記ミニマップ映像のうち少なくとも一つに表示するように構成されることを特徴とする、請求項１に記載の仮想ゴルフシミュレーション装置。
【請求項４】
前記映像出力部は、前記ゴルフシミュレーション映像の特定領域に前記仮想のゴルフコースが縮小されて表示されるミニマップ映像を表示するように構成され、
前記制御部は、前記ゴルフボールの軌跡を前記ゴルフシミュレーション映像に表示し、前記ゴルフボールの落下地点を前記ミニマップ上に表示するように構成されることを特徴とする、請求項１または２に記載の仮想ゴルフシミュレーション装置。
【請求項５】
前記ゴルフボールの軌跡は、
ユーザが特定ゴルフコースでショットした回数によって累積されて表示されることを特徴とする、請求項１から４の何れか１項に記載の仮想ゴルフシミュレーション装置。
【請求項６】
ユーザが特定情報に関する操作を行うことができるように備えられる操作部をさらに含み、前記制御部は、
前記ユーザのログインがある場合又は前記操作部を通じたユーザの操作がある場合、外部システムから前記ユーザヒストリー情報を受信して前記格納部に格納するように構成されることを特徴とする、請求項１から５の何れか１項に記載の仮想ゴルフシミュレーション装置。
【請求項７】
ユーザプレー情報を用いて仮想ユーザとのプレーを提供する仮想ゴルフシミュレーション装置において、
仮想のゴルフコースにおけるゴルフシミュレーション映像を表示する映像出力部と、
前記仮想ユーザのプレー情報を格納する格納部と、
ユーザと前記仮想ユーザのプレー情報に基づいて、前記仮想ゴルフシミュレーション装置を通じたプレーを制御する制御部と
を含む、仮想ゴルフシミュレーション装置。
【請求項８】
前記仮想ユーザは、
前記ユーザが前記仮想ゴルフシミュレーション装置を通じてプレーしたプレー情報、及び他のユーザが前記仮想ゴルフシミュレーション装置を通じて又は該当のゴルフコースでプレーしたプレー情報の少なくとも一方に基づいて生成されたことを特徴とする、請求項７に記載の仮想ゴルフシミュレーション装置。
【請求項９】
前記仮想ユーザは、
他のユーザが前記仮想ゴルフシミュレーション装置を通じて又は該当のゴルフコースでプレーしたプレー情報に、前記他のユーザの映像情報及び音声情報のうち少なくとも一つを付加して生成されたことを特徴とする、請求項７又は８に記載の仮想ゴルフシミュレーション装置。
【請求項１０】
前記制御部は、
前記ユーザの前記仮想ゴルフシミュレーション装置を通じた実際のプレー映像及び音声情報と、前記格納された仮想ユーザのプレー情報に基づいたプレー映像情報及び音声情報とを出力することによって、前記ユーザと前記仮想ユーザのプレーが行われるようにすることを特徴とする、請求項７又は８に記載の仮想ゴルフシミュレーション装置。
【請求項１１】
ユーザヒストリー情報を用いた仮想ゴルフシミュレーション方法において、
仮想ゴルフプレー映像及び関連情報を表示する段階と、
仮想ゴルフシミュレーション装置を通じてプレーしたユーザのユーザヒストリー情報が格納された格納部から、ユーザの特定のプレー情報を抽出する段階と、
前記抽出された特定のプレー情報によるゴルフボールの軌跡、ゴルフボールの落下地点及び飛距離のうち少なくとも一つを表示する段階と
を含む、仮想ゴルフシミュレーション方法。
【請求項１２】
前記ユーザがログインを通じて外部システムに接続する段階と、
前記外部システムに格納されたユーザヒストリー情報を受信する段階と、
前記受信されたユーザヒストリー情報を格納する段階とをさらに含むことを特徴とする、請求項１１に記載の仮想ゴルフシミュレーション方法。
【請求項１３】
前記表示する段階でゴルフボールの軌跡を表示する場合、
ユーザが現在プレーしようとするゴルフコースのショット順序に対応して、ユーザヒストリー情報のうち該当のゴルフコースの該当のショット順序でのショット情報によるゴルフボールの軌跡が表示されることを特徴とする、請求項１１または１２に記載の仮想ゴルフシミュレーション方法。
【請求項１４】
ユーザプレー情報を用いて仮想ゴルフシミュレーション装置を通じた仮想ユーザとのプレーを提供する仮想ゴルフシミュレーション方法において、
ユーザの選択によって前記仮想ユーザのプレー情報をローディングする段階と、
仮想ゴルフプレー映像及び関連情報を表示する段階と、
前記ユーザと前記ローディングされたプレー情報による仮想ユーザとが仮想ゴルフをプレーするように、前記仮想ゴルフシミュレーション装置を制御する段階と、を含む、仮想ゴルフシミュレーション方法。
【請求項１５】
前記ユーザがログインを通じて外部システムに接続する段階と、
前記外部システムに格納された前記仮想ユーザのプレー情報を受信する段階と、
前記受信された仮想ユーザのプレー情報を格納する段階とをさらに含むことを特徴とする、請求項１４に記載の仮想ゴルフシミュレーション方法。
【請求項１６】
前記外部システムは、
前記仮想ゴルフシミュレーション装置を通じてプレーしたユーザのプレー情報が所定の条件を満足する場合、前記プレー情報に基づいて仮想ユーザを生成することを特徴とする、請求項１５に記載の仮想ゴルフシミュレーション方法。
【国際調査報告】
2013516212.tif 000012
2013516212.tif 000013